(57)【特許請求の範囲】
【請求項１】
圧縮機、室外熱交換器、四方弁、温度センサ及び室外制御手段を備える室外機に、電子膨張弁、室内熱交換器、送風ファン、温度センサ及び室内制御手段とを備える室内機を接続して同一冷媒系統を構成する分離型の空気調和機を複数配設し、前記各室外制御手段及び室内制御手段に接続される信号線を同一の通信線を介して接続してなる空気調和システムにおいて、
前記室外機の室外制御手段が温度センサの検出した外気温度により、冷房運転モードまたは暖房運転モードを選択し、圧縮機の運転を開始して冷媒を前記室内機に供給した後、室外機側の冷媒温度と室内機側の冷媒温度を検出して比較し、その比較結果が所定の温度差以下となったとき、同室内機の冷媒系統が前記室外機の冷媒系統に対応すると判定し、同室外機の冷媒系統に対応すると判定された室内機に対して冷媒系統アドレスを設定するようにしたことを特徴とする空気調和機の冷媒系統アドレス設定方法。
【請求項２】
前記圧縮機の運転を開始して冷媒を前記室内機に供給した後、室外機側の冷媒温度と室内機側の冷媒温度を検出して比較し、その比較結果が所定の温度差以下となり、その後、前記圧縮機の運転を停止して前記室内機への冷媒の供給を止め、前記室内熱交換器への吸込み空気の温度（吸込み温度）と室内熱交換器の冷媒流出側の温度（冷媒流出温度）を検出して比較し、その比較結果が所定の温度差以下となったとき、同室内機の冷媒系統が前記室外機の冷媒系統に対応すると判定し、同室外機の冷媒系統に対応すると判定された室内機に対して冷媒系統アドレスを設定するようにしたことを特徴とする請求項１記載の空気調和機の冷媒系統アドレス設定方法。
【請求項３】
前記室外制御手段が冷房運転モードを選択した時は、前記室内機側の冷媒温度を、室内熱交換器の冷媒流入側の温度（冷房時冷媒流入温度）とし、前記室外機側の冷媒温度を前記圧縮機の吸込側の冷媒温度（低圧飽和温度）としたことを特徴とする請求項１または請求項２記載の空気調和機の冷媒系統アドレス設定方法。
【請求項４】
前記室外制御手段が暖房運転モードを選択した時は、前記室内機側の冷媒温度を、室内熱交換器の冷媒流出側の温度（暖房時冷媒流出温度）とし、前記室外機側の冷媒温度を前記圧縮機の吐出側の冷媒温度（高圧吐出温度）としたことを特徴とする請求項１または請求項２記載の空気調和機の冷媒系統アドレス設定方法。
【請求項５】
圧縮機、室外熱交換器、四方弁、温度センサ及び室外制御手段を備える室外機に、電子膨張弁、室内熱交換器、送風ファン、温度センサ及び室内制御手段とを備える室内機を接続して同一冷媒系統を構成する分離型の空気調和機を複数配設し、前記各室外制御手段及び室内制御手段に接続される信号線を同一の通信線を介して接続してなる空気調和システムにおいて、
前記室外機の任意の１台の室外制御手段は、同室外制御手段に組み込まれる冷媒系統判定プログラムが起動されると、前記空気調和システムを構成する全ての室外機及び室内機の運転を停止させた後、当該室外機の外気温度を検出し、同外気温度に基づいて冷房運転モードを選択し、当該室外機及び前記室内機を冷房運転モードとして圧縮機の運転を開始して冷媒の供給を開始した場合は、
前記各室内熱交換器の冷房時冷媒流入温度（Ｔｉｎ）と前記低圧飽和温度（Ｔｅ）を検出して比較し、一定時間内に、その差（Ｔｉｎ−Ｔｅ）が所定の温度差（α）以下、即ち（Ｔｉｎ＜Ｔｅ＋α）とならなかった室内機の冷媒系統が前記室外機の冷媒系統に対応しないと判定し、前記一定時間内に、所定の温度差（α）以下、即ち（Ｔｉｎ＜Ｔｅ＋α）となった場合、その室内機の冷媒系統が前記室外機の冷媒系統に対応すると判定し、同室外機の冷媒系統に対応すると判定された室内機に対して冷媒系統アドレスを設定するようにしたことを特徴とする空気調和機の冷媒系統アドレス設定方法。
【請求項６】
圧縮機、室外熱交換器、四方弁、温度センサ及び室外制御手段を備える室外機に、電子膨張弁、室内熱交換器、送風ファン、温度センサ及び室内制御手段とを備える室内機を接続して同一冷媒系統を構成する分離型の空気調和機を複数配設し、前記各室外制御手段及び室内制御手段に接続される信号線を同一の通信線を介して接続してなる空気調和システムにおいて、
前記室外機の任意の１台の室外制御手段は、同室外制御手段に組み込まれる冷媒系統判定プログラムが起動されると、前記空気調和システムを構成する全ての室外機及び室内機の運転を停止させた後、当該室外機の外気温度を検出し、同外気温度に基づいて冷房運転モードを選択し、当該室外機及び前記室内機を冷房運転モードとして圧縮機の運転を開始して冷媒の供給を開始した場合は、
前記各室内熱交換器の冷房時冷媒流入温度（Ｔｉｎ）と前記低圧飽和温度（Ｔｅ）を検出して比較し、一定時間内に、その差（Ｔｉｎ−Ｔｅ）が所定の温度差（α）以下、即ち（Ｔｉｎ＜Ｔｅ＋α）とならなかった室内機の冷媒系統が前記室外機の冷媒系統に対応しないと判定し、
一定時間経過後、前記圧縮機を停止し、前記一定時間内に、所定の温度差（α）以下、即ち（Ｔｉｎ＜Ｔｅ＋α）となった室内機の前記電子膨張弁を全閉すると共に、送風ファンを回転させた後、前記室内熱交換器に吸込まれる空気の吸込み温度（Ｔａ）と同室内熱交換器の冷房時冷媒流出温度（Ｔｏｕｔ）を検出して比較し、一定時間内に、その差（Ｔａ−Ｔｏｕｔ）が所定の温度差（β）以下、即ち（Ｔａ−Ｔｏｕｔ）＜（β）とならなかった室内機の冷媒系統が前記室外機の冷媒系統に対応しないと判定し、前記一定時間内に、所定の温度差（β）以下、即ち（Ｔａ−Ｔｏｕｔ）＜（β）となった室内機の冷媒系統が前記室外機の冷媒系統に対応すると判定し、同室外機の冷媒系統に対応すると判定された室内機に対して冷媒系統アドレスを設定するようにしたことを特徴とする空気調和機の冷媒系統アドレス設定方法。
【請求項７】
圧縮機、室外熱交換器、四方弁、温度センサ及び室外制御手段を備える室外機に、電子膨張弁、室内熱交換器、送風ファン、温度センサ及び室内制御手段とを備える室内機を接続して同一冷媒系統を構成する分離型の空気調和機を複数配設し、前記各室外制御手段及び室内制御手段に接続される信号線を同一の通信線を介して接続してなる空気調和システムにおいて、
前記室外機の任意の１台の室外制御手段は、同室外制御手段に組み込まれる冷媒系統判定プログラムが起動されると、前記空気調和システムを構成する全ての室外機及び室内機の運転を停止させた後、当該室外機の外気温度を検出し、同外気温度に基づいて暖房運転モードを選択し、当該室外機及び前記室内機を暖房運転モードとして圧縮機の運転を開始して冷媒の供給を開始した場合は、
前記各室内熱交換器の冷房時冷媒流出温度（Ｔｏｕｔ）と前記高圧吐出温度（Ｔｃ）を検出して比較し、一定時間内に、その差（Ｔｃ−Ｔｏｕｔ）が所定の温度差（α’）以下、即ち（Ｔｃ＜Ｔｏｕｔ＋α’）とならなかった室内機の冷媒系統が前記室外機の冷媒系統に対応しないと判定し、前記一定時間内に、所定の温度差（α’）以下、即ち（Ｔｃ＜Ｔｏｕｔ＋α’）となった場合、その室内機の冷媒系統が前記室外機の冷媒系統に対応すると判定し、同室外機の冷媒系統に対応すると判定された室内機に対して冷媒系統アドレスを設定するようにしたことを特徴とする空気調和機の冷媒系統アドレス設定方法。
【請求項８】
圧縮機、室外熱交換器、四方弁、温度センサ及び室外制御手段を備える室外機に、電子膨張弁、室内熱交換器、送風ファン、温度センサ及び室内制御手段とを備える室内機を接続して同一冷媒系統を構成する分離型の空気調和機を複数配設し、前記各室外制御手段及び室内制御手段に接続される信号線を同一の通信線を介して接続してなる空気調和システムにおいて、
前記室外機の任意の１台の室外制御手段は、同室外制御手段に組み込まれる冷媒系統判定プログラムが起動されると、前記空気調和システムを構成する全ての室外機及び室内機の運転を停止させた後、当該室外機の外気温度を検出し、同外気温度に基づいて暖房運転モードを選択し、当該室外機及び前記室内機を暖房運転モードとして圧縮機の運転を開始して冷媒の供給を開始した場合は、
前記各室内熱交換器の冷房時冷媒流出温度（Ｔｏｕｔ）と前記高圧吐出温度（Ｔｃ）を検出して比較し、一定時間内に、その差（Ｔｃ−Ｔｏｕｔ）が所定の温度差（α’）以下、即ち（Ｔｃ＜Ｔｏｕｔ＋α’）とならなかった室内機の冷媒系統が前記室外機の冷媒系統に対応しないと判定し、
一定時間経過後、前記圧縮機を停止し、前記一定時間内に、所定の温度差（α’）以下、即ち（Ｔｃ＜Ｔｏｕｔ＋α’）となった室内機の前記電子膨張弁を全閉すると共に、送風ファンを回転させた後、前記室内熱交換器に吸込まれる空気の吸込み温度（Ｔａ）と同室内熱交換器の暖房時冷媒流出温度（Ｔｏｕｔ）を検出して比較し、一定時間内に、その差（Ｔｏｕｔ−Ｔａ）が所定の温度差（β’）以下、即ち（Ｔｏｕｔ−Ｔａ）＜（β’）とならなかった室内機の冷媒系統が前記室外機の冷媒系統に対応しないと判定し、前記一定時間内に、所定の温度差（β）以下、即ち（Ｔｏｕｔ−Ｔａ）＜（β’）となった室内機の冷媒系統が前記室外機の冷媒系統に対応すると判定し、同室外機の冷媒系統に対応すると判定された室内機に対して冷媒系統アドレスを設定するようにしたことを特徴とする空気調和機の冷媒系統アドレス設定方法。
【請求項９】
前記室内機には、例えばマイコンのＩＤのようにそれぞれ異なるＩＤを含むノード情報が予め記憶されており、前記室内機の冷媒系統が前記室外機の冷媒系統に対応すると判定された場合、同室内機の室内制御手段より当該室外機の室外制御手段に対して前記ノード情報を送信し、同室外制御手段が同ノード情報を基に、同室内機の冷媒系統アドレスを順次割り当てるようにしたことを特徴とする請求項１、請求項２、請求項５、請求項６、請求項７又は請求項８記載の空気調和機の冷媒系統アドレス設定方法。
【発明の詳細な説明】
【０００１】
【発明の属する技術分野】
本発明は室外機に室内機を配管接続して同一冷媒系統を構成する分離型の空気調和機を複数配設し、前記各室外機及び室内機の信号線を同一の通信線を介して接続してなる空気調和システムにおける、冷媒系統判定方法及び冷媒系統アドレス設定方法に関する。
【０００２】
【従来の技術】
大型ビル等に設置される空気調和システムは、図１に示すように、複数の室外機を設け、同室外機のそれぞれに複数の室内機を接続したものが一般的である。
このような空気調和システムでは、制御信号等を伝送するための信号線はできるだけ短く抑えるため、１本の通信線に、複数の室外機及び複数の室内機の信号線を接続する、所謂バス型接続が採用されている。
このバス型接続では、異なる冷媒系統の室外機及び室内機の信号線が同一の通信線に接続されるため、物理的には通信可能な状態となる。
そこで、室外機と室内機の冷媒系統の対応関係を明確にする必要がある。
従来、この対応関係を明確にするため、各室外機及び室内機にアドレスを設定するスイッチを設け、設置時に前記スイッチを操作することにより各室外機及び室内機の冷媒系統に対応するアドレスを冷媒系統アドレスとして設定するようにしていた。
例えば、室外機のアドレスＡに対応する室内機の冷媒系統アドレスをＡ１からＡｎまで割り当てて設定するようにしていた。
しかし、このアドレス設定方法では、多くの室外機及び室内機のスイッチを手で操作して設定するため、誤設定が発生することがあり、これを見付けるのに、多大の工数が必要となり、工事費用の増加の原因となっていた。
そこで、近年、この問題を解決するための方法として、室外機と室内機の冷媒系統の対応関係を自動的に検出して自動的に冷媒系統アドレスを設定する、自動アドレス設定方法が知られている。
この自動アドレス設定方法においては、室外機に備える圧縮機の運転前後の室内熱交換器温度の変化を監視し、その運転前後での温度差が所定の値以上となったとき、その室内機の冷媒系統が前記室外機の冷媒系統であると判定するものである。
しかし、この空気調和機の冷媒系統アドレス設定方法では、室内熱交換器の温度の変化により判定するが、この室内熱交換器の温度は季節、特に外気温度に影響され易く、例えば、外気温度が高い時に冷房すると、その室内熱交換器の温度が顕著に変化するが、外気温度が低い時はその変化があまり顕著に現れないため、冷媒系統の判定が出来ない場合が発生する。
【０００３】
【発明が解決しようとする課題】
本発明は以上述べた問題点を解決し、外部環境に影響されずに各室外機に接続されている室内機の冷媒系統を正しく判定することができ、正しい冷媒系統アドレスを自動的に設定することのできる空気調和機の冷媒系統アドレス設定方法及び冷媒系統アドレス設定方法を提供することを目的としている。
【０００４】
【課題を解決するための手段】
本発明は上述の課題を解決するため、圧縮機、室外熱交換器、四方弁、温度センサ及び室外制御手段を備える室外機に、電子膨張弁、室内熱交換器、送風ファン、温度センサ及び室内制御手段とを備える室内機を接続して同一冷媒系統を構成する分離型の空気調和機を複数配設し、前記各室外制御手段及び室内制御手段に接続される信号線を同一の通信線を介して接続してなる空気調和システムにおいて、
前記室外機の室外制御手段が温度センサの検出した外気温度により、冷房運転モードまたは暖房運転モードを選択し、圧縮機の運転を開始して冷媒を前記室内機に供給した後、室外機側の冷媒温度と室内機側の冷媒温度を検出して比較し、その比較結果が所定の温度差以下となったとき、同室内機の冷媒系統が前記室外機の冷媒系統に対応すると判定し、同室外機の冷媒系統に対応すると判定された室内機に対して冷媒系統アドレスを設定するようにした空気調和機の冷媒系統アドレス設定方法としている。
【０００５】
前記圧縮機の運転を開始して冷媒を前記室内機に供給した後、室外機側の冷媒温度と室内機側の冷媒温度を検出して比較し、その比較結果が所定の温度差以下となり、その後、前記圧縮機の運転を停止して前記室内機への冷媒の供給を止め、前記室内熱交換器への吸込み空気の温度（吸込み温度）と室内熱交換器の冷媒流出側の温度（冷媒流出温度）を検出して比較し、その比較結果が所定の温度差以下となったとき、同室内機の冷媒系統が前記室外機の冷媒系統に対応すると判定し、同室外機の冷媒系統に対応すると判定された室内機に対して冷媒系統アドレスを設定するようにした空気調和機の冷媒系統アドレス設定方法としている。
【０００６】
前記室外制御手段が冷房運転モードを選択した時は、前記室内機側の冷媒温度を、室内熱交換器の冷媒流入側の温度（冷房時冷媒流入温度）とし、前記室外機側の冷媒温度を前記圧縮機の吸込側の冷媒温度（低圧飽和温度）とした空気調和機の冷媒系統アドレス設定方法としている。
【０００７】
前記室外制御手段が暖房運転モードを選択した時は、前記室内機側の冷媒温度を、室内熱交換器の冷媒流出側の温度（暖房時冷媒流出温度）とし、前記室外機側の冷媒温度を前記圧縮機の吐出側の冷媒温度（高圧吐出温度）とした空気調和機の冷媒系統アドレス設定方法としている。
【０００８】
圧縮機、室外熱交換器、四方弁、温度センサ及び室外制御手段を備える室外機に、電子膨張弁、室内熱交換器、送風ファン、温度センサ及び室内制御手段とを備える室内機を接続して同一冷媒系統を構成する分離型の空気調和機を複数配設し、前記各室外制御手段及び室内制御手段に接続される信号線を同一の通信線を介して接続してなる空気調和システムにおいて、前記室外機の任意の１台の室外制御手段は、同室外制御手段に組み込まれる冷媒系統判定プログラムが起動されると、前記空気調和システムを構成する全ての室外機及び室内機の運転を停止させた後、当該室外機の外気温度を検出し、同外気温度に基づいて冷房運転モードを選択し、当該室外機及び前記室内機を冷房運転モードとして圧縮機の運転を開始して冷媒の供給を開始した場合は、
前記各室内熱交換器の冷房時冷媒流入温度（Ｔｉｎ）と前記低圧飽和温度（Ｔｅ）を検出して比較し、一定時間内に、その差（Ｔｉｎ−Ｔｅ）が所定の温度差（α）以下、即ち（Ｔｉｎ＜Ｔｅ＋α）とならなかった室内機の冷媒系統が前記室外機の冷媒系統に対応しないと判定し、前記一定時間内に、所定の温度差（α）以下、即ち（Ｔｉｎ＜Ｔｅ＋α）となった場合、その室内機の冷媒系統が前記室外機の冷媒系統に対応すると判定し、同室外機の冷媒系統に対応すると判定された室内機に対して冷媒系統アドレスを設定するようにした空気調和機の冷媒系統アドレス設定方法としている。
【０００９】
圧縮機、室外熱交換器、四方弁、温度センサ及び室外制御手段を備える室外機に、電子膨張弁、室内熱交換器、送風ファン、温度センサ及び室内制御手段とを備える室内機を接続して同一冷媒系統を構成する分離型の空気調和機を複数配設し、前記各室外制御手段及び室内制御手段に接続される信号線を同一の通信線を介して接続してなる空気調和システムにおいて、前記室外機の任意の１台の室外制御手段は、同室外制御手段に組み込まれる冷媒系統判定プログラムが起動されると、前記空気調和システムを構成する全ての室外機及び室内機の運転を停止させた後、当該室外機の外気温度を検出し、同外気温度に基づいて冷房運転モードを選択し、当該室外機及び前記室内機を冷房運転モードとして圧縮機の運転を開始して冷媒の供給を開始した場合は、
前記各室内熱交換器の冷房時冷媒流入温度（Ｔｉｎ）と前記低圧飽和温度（Ｔｅ）を検出して比較し、一定時間内に、その差（Ｔｉｎ−Ｔｅ）が所定の温度差（α）以下、即ち（Ｔｉｎ＜Ｔｅ＋α）とならなかった室内機の冷媒系統が前記室外機の冷媒系統に対応しないと判定し、
一定時間経過後、前記圧縮機を停止し、前記一定時間内に、所定の温度差（α）以下、即ち（Ｔｉｎ＜Ｔｅ＋α）となった室内機の前記電子膨張弁を全閉すると共に、送風ファンを回転させた後、前記室内熱交換器に吸込まれる空気の吸込み温度（Ｔａ）と同室内熱交換器の冷房時冷媒流出温度（Ｔｏｕｔ）を検出して比較し、一定時間内に、その差（Ｔａ−Ｔｏｕｔ）が所定の温度差（β）以下、即ち（Ｔａ−Ｔｏｕｔ）＜（β）とならなかった室内機の冷媒系統が前記室外機の冷媒系統に対応しないと判定し、前記一定時間内に、所定の温度差（β）以下、即ち（Ｔａ−Ｔｏｕｔ）＜（β）となった室内機の冷媒系統が前記室外機の冷媒系統に対応すると判定し、同室外機の冷媒系統に対応すると判定された室内機に対して冷媒系統アドレスを設定するようにした空気調和機の冷媒系統アドレス設定方法としている。
【００１０】
圧縮機、室外熱交換器、四方弁、温度センサ及び室外制御手段を備える室外機に、電子膨張弁、室内熱交換器、送風ファン、温度センサ及び室内制御手段とを備える室内機を接続して同一冷媒系統を構成する分離型の空気調和機を複数配設し、前記各室外制御手段及び室内制御手段に接続される信号線を同一の通信線を介して接続してなる空気調和システムにおいて、前記室外機の任意の１台の室外制御手段は、同室外制御手段に組み込まれる冷媒系統判定プログラムが起動されると、前記空気調和システムを構成する全ての室外機及び室内機の運転を停止させた後、当該室外機の外気温度を検出し、同外気温度に基づいて暖房運転モードを選択し、当該室外機及び前記室内機を暖房運転モードとして圧縮機の運転を開始して冷媒の供給を開始した場合は、
前記各室内熱交換器の冷房時冷媒流出温度（Ｔｏｕｔ）と前記高圧吐出温度（Ｔｃ）を検出して比較し、一定時間内に、その差（Ｔｃ−Ｔｏｕｔ）が所定の温度差（α’）以下、即ち（Ｔｃ＜Ｔｏｕｔ＋α’）とならなかった室内機の冷媒系統が前記室外機の冷媒系統に対応しないと判定し、前記一定時間内に、所定の温度差（α’）以下、即ち（Ｔｃ＜Ｔｏｕｔ＋α’）となった場合、その室内機の冷媒系統が前記室外機の冷媒系統に対応すると判定し、同室外機の冷媒系統に対応すると判定された室内機に対して冷媒系統アドレスを設定するようにした空気調和機の冷媒系統アドレス設定方法としている。
【００１１】
圧縮機、室外熱交換器、四方弁、温度センサ及び室外制御手段を備える室外機に、電子膨張弁、室内熱交換器、送風ファン、温度センサ及び室内制御手段とを備える室内機を接続して同一冷媒系統を構成する分離型の空気調和機を複数配設し、前記各室外制御手段及び室内制御手段に接続される信号線を同一の通信線を介して接続してなる空気調和システムにおいて、前記室外機の任意の１台の室外制御手段は、同室外制御手段に組み込まれる冷媒系統判定プログラムが起動されると、前記空気調和システムを構成する全ての室外機及び室内機の運転を停止させた後、当該室外機の外気温度を検出し、同外気温度に基づいて暖房運転モードを選択し、当該室外機及び前記室内機を暖房運転モードとして圧縮機の運転を開始して冷媒の供給を開始した場合は、
前記各室内熱交換器の冷房時冷媒流出温度（Ｔｏｕｔ）と前記高圧吐出温度（Ｔｃ）を検出して比較し、一定時間内に、その差（Ｔｃ−Ｔｏｕｔ）が所定の温度差（α’）以下、即ち（Ｔｃ＜Ｔｏｕｔ＋α’）とならなかった室内機の冷媒系統が前記室外機の冷媒系統に対応しないと判定し、
一定時間経過後、前記圧縮機を停止し、前記一定時間内に、所定の温度差（α’）以下、即ち（Ｔｃ＜Ｔｏｕｔ＋α’）となった室内機の前記電子膨張弁を全閉すると共に、送風ファンを回転させた後、前記室内熱交換器に吸込まれる空気の吸込み温度（Ｔａ）と同室内熱交換器の暖房時冷媒流出温度（Ｔｏｕｔ）を検出して比較し、一定時間内に、その差（Ｔｏｕｔ−Ｔａ）が所定の温度差（β’）以下、即ち（Ｔｏｕｔ−Ｔａ）＜（β’）とならなかった室内機の冷媒系統が前記室外機の冷媒系統に対応しないと判定し、前記一定時間内に、所定の温度差（β）以下、即ち（Ｔｏｕｔ−Ｔａ）＜（β’）となった室内機の冷媒系統が前記室外機の冷媒系統に対応すると判定し、同室外機の冷媒系統に対応すると判定された室内機に対して冷媒系統アドレスを設定するようにした空気調和機の冷媒系統アドレス設定方法としている。
【００１２】
前記室内機には、例えばマイコンのＩＤのようにそれぞれ異なるＩＤを含むノード情報が予め記憶されており、前記室内機の冷媒系統が前記室外機の冷媒系統に対応すると判定された場合、同室内機の室内制御手段より当該室外機の室外制御手段に対して前記ノード情報を送信し、同室外制御手段が同ノード情報を基に、同室内機の冷媒系統アドレスを順次割り当てるようにした空気調和機の冷媒系統アドレス設定方法としている。
【００１３】
【発明の実施の形態】
以下、図面に基づいて本発明による空気調和機の冷媒系統アドレス設定方法を詳細に説明する。
図１は本発明の実施例を示す空気調和システムの概略図、図２は空気調和機の冷凍サイクル（冷媒系統）を示す冷媒回路図、図３は空気調和機の制御ブロック図である。
図１に示すように、室外機１に対して複数の室内機２が冷媒配管３により接続され、同一の冷媒系統Ａ（Ｂ，Ｃ）を構成してた分離型の空気調和機を複数配設して空気調和システムを構築している。
そして、この空気調和システムを構築している全ての室外機１及び室内機２の信号線は１本の通信線４により接続されている。
図２に示すように、前記各室外機１には圧縮機５、四方弁６及び、室外熱交換器７を備え、また、前記各室内機２には室内熱交換器８及び、電子膨張弁９を備え、これらを順次接続して冷凍サイクル（冷媒系統）を構成している。
さらに、図２及び図３に示すように、前記室外機１には前記圧縮機５の吸込み側の温度（低圧飽和温度（Ｔｅ））を検出する温度センサ１０ａ、圧縮機５の吐出側の温度（高圧吐出温度（Ｔｃ））を検出する温度センサ１０ｂ、外気温度（Ｔｏ）を検出する温度センサ１０ｃ及び室外制御手段１１を備え、前記室内機２には前記室内熱交換器８に室内空気を流通する送風ファン１２、同室内熱交換器８の前記電子膨張弁９側の温度（冷房時冷媒流入温度（Ｔｉｎ）または冷房時冷媒流出温度（Ｔｏｕｔ））を検出する温度センサ１３ａ、同室内熱交換器８の温度センサ１３ａと反対側の温度（暖房時冷媒流出温度（Ｔｏｕｔ）または暖房時冷媒流入温度（Ｔｉｎ））を検出する温度センサ１３ｂ、室内熱交換器８に吸込まれる室内空気の温度（吸気温度（Ｔａ））を検出する温度センサ１３ｃ及び室内制御手段１４を備えている。
また、前記室外制御手段１１は前記温度センサ１０ａ、１０ｂ、１０ｃよりの検出信号を入力する温度センサ入力部１１ａと、前記圧縮機５及び四方弁６を駆動する駆動部１１ｂと、前記通信線を介して室内機２と信号を送受信する通信部１１ｃと、これらを制御する制御部１１ｄとで構成されている。
また、前記室内制御手段１４は前記温度センサ１３ａと、温度センサ１３ｂと、温度センサ１３ｃよりの検出信号を入力する温度センサ入力部１４ａと、前記電子膨張弁９を駆動する弁駆動部１４ｂと、前記送風ファンを駆動するファン駆動部１４ｃと、前記通信線４を介して室内機２と信号を送受信する通信部１４ｄと、冷媒系統アドレス設定・記憶部１４ｅと、これらを制御すると共に、例えばマイコンのＩＤのようにそれぞれ異なるＩＤを含むノード情報を記憶する制御部１４ｆとで構成されている。
【００１４】
以上の構成において、つぎにその動作を説明する。
図４及び図５は本発明による空気調和機の冷媒系統アドレス設定方法を説明するための動作フローチャートで、図４は冷房運転モード選択時、図５は暖房運転モード選択時の動作フローチャートである。
図４に示すように、前記室外機１の任意の１台（仮にＡとする）の室外制御手段１１は、例えば、同室外制御手段１１に備える図示しない冷媒系統判定ボタンを押すことにより制御部１１ｄに組み込まれる冷媒系統判定及び冷媒系統アドレス設定プログラムが起動され、まず、冷媒系統判定が開始される（ｓｔ１）。
冷媒系統判定が開始されると、前記空気調和システムを構成する全ての室外機１及び室内機２の運転を停止（ｓｔ２）した後、当該室外機（Ａ）１が温度センサ１０ｃにより外気温度（Ｔｏ）を検出し、同外気温度（Ｔｏ）が所定の温度（Ｔｓ）を超える場合は冷房運転モードに、所定の温度（Ｔｓ）以下の場合は暖房運転モードを選択（ｓｔ３）する。
（ｓｔ３）で冷房運転モードが選択された場合は同図４、暖房運転モードが選択された場合は図５に進む。
そして、圧縮機の運転を開始して冷媒の供給を開始する（ｓｔ４）。
（ｓｔ３）で冷房運転モードが選択され、（ｓｔ４）で冷媒の供給を開始すると、前記温度センサ１３ａよりの各室内熱交換器の冷房時冷媒流入温度（Ｔｉｎ）と前記温度センサ１０ａよりの前記低圧飽和温度（Ｔｅ）を検出し（ｓｔ５）、前記各室内熱交換器の冷媒流入温度（Ｔｉｎ）と前記低圧飽和温度（Ｔｅ）との差が所定の温度（α）以下となるか比較される（ｓｔ６）。
（ｓｔ６）で（Ｔｉｎ）＜（Ｔｅ＋α）とならなかった場合は所定の時間（例えば９０秒間）、（ｓｔ５）と（ｓｔ６）とを繰り返し（ｓｔ７）、９０秒間経っても、（Ｔｉｎ）＜（Ｔｅ＋α）とならなかった場合は、室内機２の冷媒系統が前記室外機１の冷媒系統に対応しないと判定して、この室内機の判定を終了する（ｓｔ８）。
また、前記一定時間（９０秒間）内に、（ｓｔ６）で（Ｔｉｎ）＜（Ｔｅ＋α）となった場合、前記圧縮機５を停止し、室内機２の前記電子膨張弁９を全閉すると共に、送風ファン１２を回転させた（ｓｔ９）後、前記温度センサ１３ｃよりの前記室内熱交換器に吸込まれる空気の吸気温度（Ｔａ）と前記温度センサ１３ｂよりの同室内熱交換器の冷房時冷媒流出温度（Ｔｏｕｔ）を検出（ｓｔ１０）し、この検出した冷媒流出温度（Ｔｏｕｔ）と吸気温度（Ｔａ）との差が所定の温度（β）以下になるか比較する（ｓｔ１１）。
そして、（ｓｔ１１）で（Ｔｏｕｔ）＞（Ｔａ−β）とならなかった場合は所定の時間（例えば９０秒間）、（ｓｔ１０）及び（ｓｔ１１）を繰り返し（ｓｔ１２）、（ｓｔ１２）で所定の時間（９０秒間）経っても、（Ｔｏｕｔ）＞（Ｔａ−β）とならなかった場合は、この室内機２の冷媒系統が前記室外機１の冷媒系統に対応しないと判定して終了する（ｓｔ８）。
また、前記所定時間（９０秒間）内に、（ｓｔ１１）で（Ｔｏｕｔ）＞（Ｔａ−β）となった場合は、この室内機２の冷媒系統が前記室外機１の冷媒系統に対応すると判定し、この判定された室内機２の室内制御手段１４は、当該室外機１（Ａ）の室外制御手段１１に前記ノード情報を送信し、室外制御手段１１はこれを記憶する（ｓｔ１３）。
そして、前記所定時間（９０秒間）経過すると冷媒系統アドレス設定が開始される。
【００１５】
（ｓｔ３）で暖房運転モードが選択され、（ｓｔ４）で冷媒の供給を開始すると、前記温度センサ１３ｂよりの各室内熱交換器の暖房時冷媒流入温度（Ｔｉｎ）と前記温度センサ１０ｂよりの前記高圧吐出温度（Ｔｃ）を検出し（ｓｔ５’）、前記各室内熱交換器の暖房時冷媒流入温度（Ｔｉｎ）と前記高圧吐出温度（Ｔｃ）との差が所定の温度（α’）以下となるか比較される（ｓｔ６’）。
（ｓｔ６’）で（Ｔｃ）＜（Ｔｉｎ＋α’）とならなかった場合は所定の時間（例えば９０秒間）、（ｓｔ５’）と（ｓｔ６’）とを繰り返し（ｓｔ７’）、９０秒間経っても、（Ｔｃ）＜（Ｔｉｎ＋α’）とならなかった場合は、室内機２の冷媒系統が前記室外機１の冷媒系統に対応しないと判定して、この室内機の判定を終了する（ｓｔ８’）。
また、前記一定時間（９０秒間）内に、（ｓｔ６’）で（Ｔｃ）＜（Ｔｉｎ＋α’）となった場合、前記圧縮機５を停止し、室内機２の前記電子膨張弁９を全閉すると共に、送風ファン１２を回転させた（ｓｔ９’）後、前記温度センサ１３ｃよりの前記室内熱交換器に吸込まれる空気の吸気温度（Ｔａ）と前記温度センサ１３ａよりの同室内熱交換器の暖房時冷媒流出温度（Ｔｏｕｔ）を検出（ｓｔ１０’）し、この検出した暖房時冷媒流出温度（Ｔｏｕｔ）と吸気温度（Ｔａ）との差が所定の温度（β’）以下になるか比較する（ｓｔ１１’）。
そして、（ｓｔ１１’）で（Ｔａ）＞（Ｔｏｕｔ−β’）とならなかった場合は所定の時間（例えば９０秒間）、（ｓｔ１０’）及び（ｓｔ１１’）を繰り返し（ｓｔ１２’）、（ｓｔ１２’）で所定の時間（９０秒間）経っても、（Ｔａ）＞（Ｔｏｕｔ−β’）とならなかった場合は、この室内機２の冷媒系統が前記室外機１の冷媒系統に対応しないと判定して終了する（ｓｔ８’）。
また、前記所定時間（９０秒間）内に、（ｓｔ１１’）で（Ｔａ）＞（Ｔｏｕｔ−β’）となった場合は、この室内機２の冷媒系統が前記室外機１の冷媒系統に対応すると判定し、この判定された室内機２の室内制御手段１４は、当該室外機１（Ａ）の室外制御手段１１に前記ノード情報を送信し、室外制御手段１１はこれを記憶する（ｓｔ１３’）。
そして、前記所定時間（９０秒間）経過すると冷媒系統アドレス設定が開始される。
【００１６】
図６は本発明による空気調和機の冷媒系統アドレス設定方法を説明するための動作フローチャートである。
図４の（ｓｔ１３）において、当該室外機１（Ａ）の冷媒系統に対応する室内機２としてそのノード情報が記憶され、所定時間（９０秒間）経過すると、冷媒系統アドレス設定が開始（ｓｔ２０）され、前記室外制御手段１１はそのノード情報に含まれる前記ＩＤの若い方から順番に冷媒系統アドレス（Ａ１、Ａ２、・・・Ａｎ）を割り振り（ＳＴ２１）、これを前記各室内機２に送信する（ＳＴ２２）。
これを受信した各室内機２はこの冷媒系統アドレス（Ａ１、Ａ２、・・・又はＡｎ）を前記冷媒系統アドレス設定・記憶部１４ｅに書き込み記憶する（ＳＴ２３）。
【００１７】
【発明の効果】
以上説明したように、本発明による空気調和機の冷媒系統アドレス設定方法によれば、圧縮機、室外熱交換器、四方弁、温度センサ及び室外制御手段を備える室外機に、電子膨張弁、室内熱交換器、送風ファン、温度センサ及び室内制御手段とを備える室内機を接続して同一冷媒系統を構成する分離型の空気調和機を複数配設し、前記各室外制御手段及び室内制御手段に接続される信号線を同一の通信線を介して接続してなる空気調和システムにおいて、
前記圧縮機の運転を開始して冷媒を前記室内機に供給した後、室外機側の冷媒温度と室内機側の冷媒温度を検出して比較し、その比較結果が所定の温度差以下となったとき、同室内機の冷媒系統が前記室外機の冷媒系統に対応すると判定するようにしたので、外気温度等の外部環境の変化に係りなく正確に冷媒系統を判定することが出来、また、対応すると判定された室内機の冷媒系統アドレスを各室内機特有のノード情報を基準に当該室外機の冷媒系統の１つとして設定又は更新するようにしたので、冷媒系統アドレスが重複することもなく、正確に割り振ることができる。
【図面の簡単な説明】
【図１】従来または本発明の空気調和システムの概略図である。
【図２】本発明の空気調和機の冷凍サイクル（冷媒系統）を示す冷媒回路図である。
【図３】本発明の空気調和機の制御ブロック図である。
【図４】本発明による空気調和機の冷媒系統アドレス設定方法を説明するための冷房運転モード選択時の動作フローチャートである。
【図５】本発明による空気調和機の冷媒系統アドレス設定方法を説明するための暖房運転モード選択時の動作フローチャートである。
【図６】本発明による空気調和機の冷媒系統アドレス設定方法を説明するための動作フローチャートである。
【符号の説明】
１  室外機
２  室内機
３  冷媒配管
４  通信線
５  圧縮機
６  四方弁
７  室外熱交換器
８  室内熱交換器
９  電子膨張弁
１０ａ、１０ｂ、１０ｃ  温度センサ
１１  室外制御手段
１１ａ  温度センサ入力部
１１ｂ  駆動部
１１ｃ  通信部
１１ｄ  制御部
１２  送風ファン
１３ａ、１３ｂ、１３ｃ  温度センサ
１４  室内制御手段
１４ａ  温度センサ入力部
１４ｂ  弁駆動部
１４ｃ  ファン駆動部
１４ｄ  通信部
１４ｅ  冷媒系統アドレス設定・記憶部
１４ｆ  制御部
【図１】
0004407089.tif 000002
【図２】
0004407089.tif 000003
【図３】
0004407089.tif 000004
【図４】
0004407089.tif 000005
【図５】
0004407089.tif 000006
【図６】
0004407089.tif 000007